(57)【要約】【課題】  厚み及び幅が同等で、長さが異なる２種類のメモリカードの電極と、コネクタ装置の各コンタクト端子とを接続する。【解決手段】  コンタクト装置のスロット１６内には、２種類のメモリカードのそれぞれの電極と接触可能な第１及び第２のコンタクト端子１４、１５が、カードの挿入方向に順次に配設される。長さが短い第１のカードが挿入されると、カードの電極は挿入口に近い第１のコンタクト端子１４と接触する。長さが長い第２のカード３０が挿入されると、そのカード３０によって、第１の可動片１２が挿入方向に押され、第２の可動片１３を回転させる。第２の可動片１３が第１のコンタクト端子１４をスロット外に排出し、第２のカード３０の電極と第２のコンタクト端子１５とが接触する。【選択図】  図３
2006147215.tif 000002
【特許請求の範囲】
【請求項１】
第１のメモリカード及び該第１のメモリカードよりも長い第２のメモリカードの何れもが挿入可能なスロットと、前記第１のメモリカードに形成された電極と接触可能な第１のコンタクト端子と、前記第２のメモリカードに形成された電極と接触可能な第２のコンタクト端子とを備え、前記第１及び第２のコンタクト端子を前記第１及び第２のメモリカードの挿入方向に沿って順次にスロット内に露出するように配設したメモリカード用コネクタ装置であって、
前記第１のメモリカードが挿入された際には該第１のメモリカードとは係合せず、前記第２のメモリカードが挿入された際には該第２のメモリカードと係合する位置に配設され、前記第２のメモリカードとの係合によって変位して前記第１のコンタクト端子と前記第２のメモリカードの電極との接触を回避させる制御部材を備えることを特徴とするメモリカード用コネクタ装置。
【請求項２】
前記制御部材は、前記第２のメモリカードの挿入によって該カードの挿入方向に押圧される第１の可動部材と、該第１の可動部材によって前記挿入方向に押圧されて、前記第１のコンタクト端子を前記挿入方向と交差する方向にスロット外部に押し出す第２の可動部材とを備える、請求項１に記載のメモリカード用コネクタ装置。
【請求項３】
前記第２の可動部材は、前記第１の可動部材によって前記挿入方向に押圧される係合部を有し、該係合部の前記挿入方向への移動によって軸回りに回転する、請求項２に記載のメモリカード用コネクタ装置。
【請求項４】
前記第２の可動部材は、前記第１の可動部材によって前記挿入方向に押圧される斜面を有し、前記制御部材は、更に前記第２の可動部材の斜面が前記挿入方向に押圧された際に該第２の可動部材をカードの厚み方向にガイドするガイド機構を備える、請求項２に記載のメモリカード用コネクタ装置。
【請求項５】
前記第１の可動部材は、前記第２の可動部材と係合し且つ第２のメモリカードによって挿入方向に押圧される斜面を有し、前記制御部部材は、更に前記第１の可動部材の斜面が前記挿入方向に押圧された際に前記第２の可動部材をカードの厚み方向にガイドするガイド機構を備える、請求項２に記載のメモリカード用コネクタ装置。
【請求項６】
前記第１のメモリカードがｍｉｎｉＳＤカードで、前記第２のメモリカードがメモリスティック・デュオである、請求項１〜５の何れか一に記載のメモリカード用コネクタ装置。
【請求項７】
前記第１のメモリカードがＳＤカードで、前記第２のメモリカードがメモリスティックである、請求項１〜５の何れか一に記載のメモリカード用コネクタ装置。
【請求項８】
請求項１〜７の何れか一に記載のメモリカード用コネクタ装置を備えることを特徴とするカードリーダ。
【発明の詳細な説明】
【技術分野】
【０００１】
本発明は、メモリカード用コネクタ装置及びカードリーダ（カードリーダ／ライタ）に関し、更に詳しくは、メモリカード等の電極と電気的に接続するためのメモリカード用コネクタ装置及びこれを有するカードリーダに関する。
【背景技術】
【０００２】
半導体メモリを内蔵したカード型のメモリ装置としてＩＣカードやメモリスティック等（以下、これらを総称してメモリカードと呼ぶ）が益々多く使用されるようになっている。これらメモリカードは、その種類が多岐にわたっており、複数種類のメモリカードを１つのメモリカード用コネクタ装置（以下、コネクタ装置と呼ぶ）を有するカードリーダで読み書きできれば便宜である。しかし、これら複数種類のメモリカードには、異なる規格の電極（コンタクト）が使用されており、カード形状の相違と相まって、コネクタ装置が複数種類のメモリカードからデータを読み書きする際の障害となっていた。
【０００３】
特許文献１には、形状及び厚みが異なる複数種類のメモリカードを共通のハウジング内に挿入可能としておき、そのハウジング内部にスライダを配置するコネクタ装置が記載されている。スライダには、複数種類のメモリカードの形状に対応する位置にそれぞれ係合部が設けられており、スライダが、メモリカードの挿入及び引抜きの際に、その挿入及び引抜きに連動して進退移動する。スライダの進退移動の動きに合わせて、ロック又はロック解除される複数種類のコンタクト端子を配設し、複数種類のメモリカードの電極に合わせて、対応するコンタクト端子を使用する。
【０００４】
また、特許文献２には、メモリカード用コネクタ装置のスロットに、形状が異なる２種類のメモリカードが選択的に挿入される挿入口を設ける旨が記載されている。
【特許文献１】特開２００３−３１７８６１号公報（図３、段落０００８）
【特許文献２】特開２００２−４２９３１号公報（段落００１７）
【発明の開示】
【発明が解決しようとする課題】
【０００５】
特許文献１に記載のコネクタ装置では、共通のスライダの動作によって、各コンタクト端子を対応するメモリカードに使用する構成を採用しているので、スライダの構造が複雑になるという問題があった。
【０００６】
特許文献２に記載のコネクタ装置は、特定のメモリカード毎にどの挿入口が適用されるかを、予め利用者に周知させる必要があり、このコネクタ装置に不慣れな利用者にはその利用が困難であった。
【０００７】
本発明は、上記に鑑み、電極の形状が異なる複数種類のメモリカードに適用でき、且つ、挿入口が共通に使用できる、簡素な構造を有するメモリカード用コネクタ装置（コネクタ装置）を提供することを目的とする。
【課題を解決するための手段】
【０００８】
上記目的を達成するために、本発明のメモリカード用コネクタ装置は、第１のメモリカード及び該第１のメモリカードよりも長い第２のメモリカードの何れもが挿入可能なスロットと、前記第１のメモリカードに形成された電極と接触可能な第１のコンタクト端子と、前記第２のメモリカードに形成された電極と接触可能な第２のコンタクト端子とを備え、前記第１及び第２のコンタクト端子を前記第１及び第２のメモリカードの挿入方向に沿って順次にスロット内に露出するように配設したメモリカード用コネクタ装置であって、
前記第１のメモリカードが挿入された際には該第１のメモリカードとは係合せず、前記第２のメモリカードが挿入された際には該第２のメモリカードと係合する位置に配設され、前記第２のメモリカードとの係合によって変位して前記第１のコンタクト端子と前記第２のメモリカードの電極との接触を回避させる制御部材を備えることを特徴とする。
【０００９】
また、本発明のカードリーダは、上記本発明のメモリカード用コンタクト装置を備えることを特徴とする。なお、本発明でカードリーダとは、カードリーダ、カードライタ、及び、カードリーダ／ライタの全てを含む概念である。
【発明の効果】
【００１０】
本発明のコネクタ装置では、スロットに第１のメモリカードが挿入されると、第１のメモリカードの電極と第１のコンタクト端子との接触によって、第１のメモリカードのデータがコネクタ装置によって読み書きできる。また、第２のメモリカードが同じスロットに挿入されると、第２のメモリカードの電極と第２のコンタクト端子との接触によって、第２のメモリカードのデータがコネクタ装置によって読み書きされると共に、第２のメモリカードの電極と第１のコンタクト端子との接触が回避されるので、コネクタ装置を有するカードリーダでの誤動作や、第２のメモリカードの損傷が防止できる。また、制御部材は、第２のメモリカードのみによって変位させられるので、制御部材の構造が簡素にできる。
【００１１】
本発明のコネクタ装置では、前記制御部材は、前記第２のメモリカードの挿入によって該カードの挿入方向に押圧される第１の可動部材と、該第１の可動部材によって前記挿入方向に押圧されて、前記第１のコンタクト端子を前記挿入方向と交差する方向にスロット外部に押し出す第２の可動部材とを備えることが好ましい。この場合、第１の可動部材と第２の可動部材との協働によって、メモリカードの挿入時の動きを、第１のコンタクト端子の動きに変えることが容易になる。
【００１２】
前記第２の可動部材が、前記第１の可動部材によって前記挿入方向に押圧される係合部を有し、該係合部の前記挿入方向への移動によって軸回りに回転することとしても良く、或いは、前記第２の可動部材が、前記第１の可動部材によって前記挿入方向に押圧される斜面を有し、前記制御部材は、更に前記第２の可動部材の斜面が前記挿入方向に押圧された際に該第２の可動部材をカードの厚み方向にガイドするガイド機構を備えることとしても良く、或いは、前記第１の可動部材は、前記第２の可動部材と係合し且つ第２のメモリカードによって挿入方向に押圧される斜面を有し、前記制御部部材は、更に前記第１の可動部材の斜面が前記挿入方向に押圧された際に前記第２の可動部材をカードの厚み方向にガイドするガイド機構を備えることとしても良い。何れの場合にも、第１のコンタクト端子をスロット外に排出する制御が良好に行われる。
【００１３】
本発明のコネクタ装置は、好ましくは、カードの幅及び厚みがほぼ同じで長さが異なる第１及び第２のメモリカードとの接続に使用される。例えば、第１のメモリカードがｍｉｎｉＳＤカードで、第２のメモリカードがメモリスティック・デュオである場合、或いは、第１のメモリカードがＳＤカードで、第２のメモリカードがメモリスティックである場合に特に好適に利用可能である。
【発明を実施するための最良の形態】
【００１４】
以下、図面を参照し、本発明の実施形態に基づいて本発明を更に詳細に説明する。なお、これら図面の全てにおいて、同様な要素には同様な符号を付して示している。図１（ａ）は、本発明の第１の実施形態に係るコネクタ装置の平面図を示し、同図（ｂ）は同図（ａ）におけるＢ−Ｂ断面を示し、同図（ｃ）は第２の可動片を示すもので、同図（ａ）における矢視図である。
【００１５】
コネクタ装置１０は、ハウジング１１と、ハウジング内に形成されたスロット１６と、スロット１６内に配設される制御部材をなす第１及び第２の可動部材１２、１３と、スロット１６内にメモリカードの挿入方向に沿って順次に配設される第１のコンタクト列、及び、第２のコンタクト列と、第１の可動部材を挿入方向と逆方向に付勢する図示しない弾性部材（スプリング）とを備える。第１のコンタクト列は、スロット１６の幅方向に並ぶ複数のコンタクト端子１４を含み、第２のコンタクト列は、スロット１６の幅方向に並ぶ複数の第２のコンタクト端子１５を含む。本コネクタ装置１０は、例えばカードリーダのために使用され、各コンタクト端子１４、１５は、図示しないカードリーダの信号処理部に接続される。
【００１６】
第１の可動片１２は、メモリカードの挿入方向に延び、メモリカードとほぼ同等の厚みを有する棒状部材として構成され、先端にスロット１６の幅方向に突出する突起１２ａを有する。第１の可動片１２は、スロット１６の一方の側壁近傍に配設され、スロット１６内をカードの挿入方向に沿って前後方向に移動可能である。第２の可動片１３は、図１（ｃ）にその詳細を示すように、スロット１６の幅方向に延びる軸部１３ａと、軸部１３ａに固定され第１の可動片１２によってカードの挿入方向に押圧され軸部１３ａを回転させる係合部１３ｂと、係合部１３ｂでの押圧によって軸部１３ａが回転すると、第１のコンタクト端子１２を押し下げる作用部１３ｃとを有する。第２の可動片１３は、軸部１３ａの両端がスロット１６の側壁の溝内に軸支されている。
【００１７】
図１０は、上記コネクタ装置１０に挿入される第１のカードであるｍｉｎｉＳＤカード２０を示している。また、図１１は、上記コネクタ装置１０に挿入される第２のメモリカードであるメモリスティック・デュオ（ＭＳ−Ｄｕｏ）カード３０を示している。ｍｉｎｉＳＤカード２０及びＭＳ−Ｄｕｏカード３０はそれぞれ、その挿入方向の先端部の下面に、カードの幅方向に配列された帯状の電極２１を有する。また、その先端の縁部が一部切り欠かれた切欠き２２、３２を有し、ｍｉｎｉＳＤカード２０の切欠き２２の形状は、第１の棒状部材１２の突起１２ａの形状に適合している。ｍｉｎｉＳＤカード２０とＭＳ−Ｄｕｏカード３０とは、ほぼ同等の厚み及び幅を有し、ＭＳ−Ｄｕｏカード３０がｍｉｎｉＳＤカード２０よりもスロットへの挿入方向に長い寸法を持つ。長さの差は、双方を重ねると、ＭＳ−Ｄｕｏカード３０の電極３１が配設された部分が、ｍｉｎｉＳＤカード２０の先端部から完全に突出するような差である。
【００１８】
図１に戻り、各第１のコンタクト端子１４は、ｍｉｎｉＳＤカード２０がスロット１６内に完全に挿入されると、そのｍｉｎｉＳＤカード２０の各電極２１に接触する位置に配設される。各第２のコンタクト端子１５は、ＭＳ−Ｄｕｏカード３０がスロット１６内に完全に挿入されると、そのＭＳ−Ｄｕｏカード３０の各電極３１に接触する位置に配設される。第２のコンタクト端子１５は、第１のコンタクト端子１４よりも、カードの挿入方向で見て先端方向に位置している。
【００１９】
第１及び第２のコンタクト端子１４、１５のそれぞれは、スプリング構造を持つ帯状片であり、一端がスロット１６の下方でハウジング１１に固定され、その一端からカードの挿入方向と逆方向に且つ上方に延び、くの字状に形成された他端の接触面がスロット１６内に僅かに突出している。各コンタクト端子１４、１５は、その他端がくの字状を有することにより、メモリカード２０、３０が挿入された際に、メモリカードによって下方に押圧され、弾性力によってメモリカードの電極２１、３１と接触することで、各電極に電気的に接続される。
【００２０】
第１の可動片１２は、メモリカードが挿入されない図示の状態では、スロットのメモリカードの挿入口１７に最も近い位置にあり、その先端が第２の可動片１３の係合部１３ｂと対峙している。この状態では、第１の可動片１２、第２の可動片１３は自由状態にあり、従って、第１のコンタクト端子１４も自由状態にある。
【００２１】
図２は、上記実施形態のコネクタ装置１０のスロット１６にｍｉｎｉＳＤカード２０が挿入された状態を示す。同図（ａ）及び（ｂ）はそれぞれ、図１（ａ）及び（ｂ）に対応しており、図２（ｂ）でｍｉｎｉＳＤカード２０の一部を除いて第１の可動片１２を示している。ｍｉｎｉＳＤカード２０がスロット１６内に挿入されると、第１のコンタクト端子１４は、ｍｉｎｉＳＤカード２０の先端部の下面で下方に押圧され、ｍｉｎｉＳＤカード２０の全体がスロット１６内に挿入された時点で、ｍｉｎｉＳＤカード２０の電極２１と接触する。これによって、ｍｉｎｉＳＤカード２０内の情報が、第１のコンタクト端子１４を介して読み書きされる。ｍｉｎｉＳＤカード２０の挿入では、第１及び第２の可動片１２、１３の状態に変化は生じない。
【００２２】
図３は、上記実施形態のコネクタ装置にＭＳ−Ｄｕｏカード３０が挿入された状態を示し、同図（ａ）及び（ｂ）はそれぞれ、図２（ａ）及び（ｂ）に対応している。ＭＳ−Ｄｕｏカード３０がスロット１６内に挿入されると、カード３０の先端が第１の可動片１２の突起１２ａをカードの挿入方向に押圧するので、第１の可動片１２の先端が第２の可動片１３の係合部１３ｂを押し、第２の可動片１３をほぼ９０°回転させる。第２の可動片１３が９０°回転すると、その作用部１３ｃによって、第１のコンタクト端子１４が押し下げられ、スロット１６外に排出される。このため、第１のコンタクト端子１４は、ＭＳ−Ｄｕｏカード３０及びその電極３１と接触しないで、ＭＳ−Ｄｕｏカード３０を通過させる。
【００２３】
ＭＳ−Ｄｕｏカード３０が更に挿入されると、第１の可動片１２は、ＭＳ−Ｄｕｏカード３０に押されて更に進み、その先端がスロット１６内の挿入方向の先端に位置する。この状態では、第２のコンタクト端子１５が、ＭＳ−Ｄｕｏカード３０の電極３１に接触し、ＭＳ−Ｄｕｏカード３０内の情報が、第２のコンタクト端子１５を介して読み書きされる。ＭＳ−Ｄｕｏカード３０が引き抜かれると、第１の可動片１２は弾性部材を介して元の位置に戻り、第１の可動片１２の先端が第２の可動片１３の係合部１３ｂを通過すると、第２の可動片１３もまた元の状態に復帰する。これによって、第１のコンタクト端子１４も元の状態に復帰する。
【００２４】
上記のように、ＭＳ−Ｄｕｏカード３０が挿入されるときには、第１のコンタクト端子１４はＭＳ−Ｄｕｏカード３０と接触することがない。このため、ＭＳ−Ｄｕｏカード３０の誤接続により、カードリーダが誤動作を引き起こしたり、或いは、第１のコンタクト端子１４でＭＳ−Ｄｕｏカード３０を傷つけたりするといった不具合が発生しない。
【００２５】
図４（ａ）は、本発明の第２の実施形態に係るコネクタ装置の平面図を示し、また、同図（ｂ）及び（ｃ）はそれぞれ、カードが挿入されない状態、及び、ＭＳ−Ｄｕｏカード３０が挿入された状態における第１及び第２の可動片１２、１３を部分断面図で示している。第２の実施形態は、第２の可動片１３の構成を除いて、第１の実施形態と同様な構成を有する。本実施形態では、第２の可動片１３は、全体として、断面が台形状の棒状部材として構成され、第１の可動片１２に対向する面が、挿入方向に沿って上方に傾斜する斜面１３ｄに形成される。第２の可動片１３は、スロット１６の側壁に形成された、カードの厚み方向に延びるガイド溝１８によって、その両端の軸部１３ｅがスライド可能に支持される。
【００２６】
図５（ａ）及び（ｂ）はそれぞれ、第２の実施形態におけるｍｉｎｉＳＤカード２０の挿入時の動作を、図２（ａ）及び（ｂ）と同様に示す。本実施形態では、第１の実施形態と同様に、ｍｉｎｉＳＤカード２０の挿入では、第１及び第２の可動片１２、１３は移動せず、第１の実施形態と同様に第１のコンタクト端子１４がｍｉｎｉＳＤカード２０の電極２１に接触する。
【００２７】
図６（ａ）及び（ｂ）はそれぞれ第２の実施形態におけるＭＳ−Ｄｕｏカード３０の挿入時の動作を、図３（ａ）及び（ｂ）と同様に示す。ＭＳ−Ｄｕｏカード３０が挿入されると、第１の可動片１２が挿入方向に押され、第２の可動片１３の斜面１３ｄを押圧するので、第２の可動片１３はガイド溝１８に沿ってその全体が下方にスライド移動し、斜面１３ｄの下端部で第１のコンタクト端子１４を下方に押圧する。このため、第１のコンタクト端子１４は、スロット１６外に排出される。他の動作は、第１の実施形態と同様である。
【００２８】
図７（ａ）及び（ｂ）はそれぞれ、本発明の第３の実施形態に係るコネクタ装置を、第１の実施形態を示す図１（ａ）及び（ｂ）と同様に示している。また、図１（ｃ）は、第１及び第２の可動部材の構造を同図（ａ）におけるＣ−Ｃ断面で示している。本実施形態は、第１及び第２の可動片１２、１３の構成を除いて、第１及び第２の実施形態と同様な構成を有する。
【００２９】
第１の可動片１２は、全体として一対の棒状片１２ｂを前端の棒状片１２ｃでつないだコの字状に形成され、一対の棒状片１２ｂの側面に溝１２ｄが形成され、更にその一対の棒状片１２ｂの各先端部１２ｅの側溝１２ｄがカードの挿入方向に沿って前上がりとなる斜溝に形成される。第１の可動片１２は、前端の棒状片１２ｃがカードの先端で押圧されることで、カードの挿入方向に移動可能である。また、カードが引き抜かれると、弾性部材によってそれとは逆方向に移動可能である。
【００３０】
第２の可動片１３は、棒状片の両端を折り返した形状を有し、折り返し部分１３ｇが第１の可動片１２の側溝１２ｄに係合し、また、棒状片の本体部分１３ｆが、第１のコンタクト端子１４を押下する作用部を構成する。第２の可動片１３の両端の側部は、スロット１６に形成されカードの厚み方向に延びるガイド溝１８内に収容されており、第２の可動片１３は、このガイド溝１８によって、カードの厚み方向に移動可能である。
【００３１】
図８（ａ）及び（ｂ）はそれぞれ、第３の実施形態におけるｍｉｎｉＳＤカード２０の挿入時の動作を図２（ａ）及び（ｂ）と同様に示す。本実施形態では、先の実施形態と同様に、ｍｉｎｉＳＤカード２０の挿入では、第１の可動片１２は移動せず、第１のコンタクト端子１４がｍｉｎｉＳＤカード２０の電極２１に接触する。
【００３２】
図９（ａ）及び（ｂ）はそれぞれ、第３の実施形態におけるＭＳ−Ｄｕｏカード３０の挿入時の動作を図３（ａ）及び（ｂ）と同様に示す。ＭＳ−Ｄｕｏカード３０が挿入されると、第１の可動片１２が挿入方向に押圧され、第１の可動片１２の側溝１２ｄに係合する折り返し部１３ｇによって、第２の可動片１３がガイド溝１８に沿って下方に移動する。このため、第２の可動片１３は、その作用部１３ｆで第１のコンタクト端子１４を下方に押圧し、第１のコンタクト端子１４は、スロット１６外に排出される。他の動作は、第１の実施形態と同様である。なお、本実施形態では、側溝と折り返し部の係合によって、第２の可動片１３が下方に移動したが、第１の可動片１２の一対の棒状部材１２ｂに斜面を形成し、その斜面によって第２の可動片１３を下方に移動させても良い。
【００３３】
以上、本発明をその好適な実施形態に基づいて説明したが、本発明のメモリカード用コネクタ装置は、上記実施形態の構成にのみ限定されるものではなく、上記実施形態の構成から種々の修正及び変更を施したものも、本発明の範囲に含まれる。また、本発明の好適な態様として記載した各構成や実施形態で記載した各構成については、本発明の必須の構成と共に用いることが好ましいが、単独であっても有益な効果を奏する構成については、必ずしも本発明の必須の構成として説明した全ての構成と共に用いる必要はない。
【図面の簡単な説明】
【００３４】
【図１】（ａ）は、本発明の第１の実施形態に係るコネクタ装置のスロット内部の平面図、（ｂ）は（ａ）のＢ−Ｂ矢視図、（ｃ）は第２の可動片を示すＣ−Ｃ断面図。
【図２】（ａ）及び（ｂ）はそれぞれ、ｍｉｎｉＳＤカードが挿入された、図１のコネクタ装置の図１（ａ）及び（ｂ）と同様な図。
【図３】（ａ）及び（ｂ）はそれぞれ、ＭＳ−Ｄｕｏカードが挿入された、図１のコネクタ装置の図１（ａ）及び（ｂ）と同様な図。
【図４】（ａ）は、本発明の第２の実施形態に係るコネクタ装置のスロット内部の平面図、（ｂ）及び（ｃ）はそれぞれ、第１及び第２の可動片の詳細を示す部分断面図。
【図５】（ａ）及び（ｂ）はそれぞれ、ｍｉｎｉＳＤカードが挿入された、図４のコネクタ装置のスロット内部の平面図及び断面図。
【図６】（ａ）及び（ｂ）はそれぞれ、ＭＳ−Ｄｕｏカードが挿入された、図４のコネクタ装置のスロット内部の平面図及び断面図。
【図７】（ａ）は、本発明の第３の実施形態に係るコネクタ装置のスロット内部の平面図、（ｂ）は（ａ）のＢ−Ｂ矢視図、（ｃ）は図（ａ）におけるＣ−Ｃ断面図。
【図８】（ａ）及び（ｂ）はそれぞれ、ｍｉｎｉＳＤカードが挿入された、図７のコネクタ装置の図７（ａ）及び（ｂ）と同様な図。
【図９】（ａ）及び（ｂ）はそれぞれ、ＭＳ−Ｄｕｏカードが挿入された、図７のコネクタ装置の図７（ａ）及び（ｂ）と同様な図。
【図１０】（ａ）及び（ｂ）はそれぞれ、ｍｉｎｉＳＤカードの平面図及び断面図。
【図１１】（ａ）及び（ｂ）はそれぞれ、ＭＳ−Ｄｕｏカードの平面図及び断面図。
【符号の説明】
【００３５】
１０、１０Ａ、１０Ｂ：コネクタ装置
１１：ハウジング
１２：第１の可動片
１２ａ〜１２ｅ：第１の可動片の部分
１３：第２の可動片
１３ａ〜１３ｇ：第２の可動片の部分
１４：第１のコンタクト端子
１５：第２のコンタクト端子
１６：スロット
１７：カード挿入口
１８：ガイド溝
２０：ｍｉｎｉＳＤカード
２１：電極
２２：切欠き
３０：ＭＳ−Ｄｕｏカード
３１：電極
３２：切欠き
【図１】
2006147215.tif 000003
【図２】
2006147215.tif 000004
【図３】
2006147215.tif 000005
【図４】
2006147215.tif 000006
【図５】
2006147215.tif 000007
【図６】
2006147215.tif 000008
【図７】
2006147215.tif 000009
【図８】
2006147215.tif 000010
【図９】
2006147215.tif 000011
【図１０】
2006147215.tif 000012
【図１１】
2006147215.tif 000013